(57)【要約】  実施例は、所定の圧力で所定の時間にわたり皮膚を吸引する吸引器と、吸引によって変化する皮膚の高さを測定する高さ測定部、及び測定された高さに基づいて皮膚のつっぱり程度を評価する皮膚のつっぱり評価部と、を含む皮膚のつっぱり評価装置、及びこれを用いた皮膚のつっぱり評価方法に関する。【選択図】図２
2019510555.tif 000002
【特許請求の範囲】
【請求項１】
所定の圧力で所定の時間にわたり皮膚を吸引する吸引器と、
吸引によって変化する皮膚の高さを測定する高さ測定部と、
測定された高さに基づいて皮膚のつっぱり程度を評価する皮膚のつっぱり評価部と、
を含む皮膚のつっぱり評価装置。
【請求項２】
前記吸引器は、皮膚を１回吸引することを特徴とする請求項１に記載の皮膚のつっぱり評価装置。
【請求項３】
前記所定の圧力は、５０ｍｍｂａｒ〜３５０ｍｍｂａｒであることを特徴とする請求項１に記載の皮膚のつっぱり評価装置。
【請求項４】
前記所定の時間は、０．５秒〜１．５秒であることを特徴とする請求項１に記載の皮膚のつっぱり評価装置。
【請求項５】
前記吸引器による皮膚の吸引は、ユーザが洗顔してから１０分以内の時間の経過後に行われることを特徴とする請求項１に記載の皮膚のつっぱり評価装置。
【請求項６】
前記皮膚のつっぱり評価部は、測定された高さのうち最高の高さに基づいて皮膚のつっぱり程度を評価することを特徴とする請求項１に記載の皮膚のつっぱり評価装置。
【請求項７】
前記皮膚のつっぱり評価部は、前記最高の高さが高いほどつっぱりの程度が低いと評価することを特徴とする請求項６に記載の皮膚のつっぱり評価装置。
【請求項８】
前記吸引器は、円筒状のボディ及び前記ボディ内の空気を吸引するファンを含むことを特徴とする請求項１に記載の皮膚のつっぱり評価装置。
【請求項９】
前記高さ測定部は、皮膚に赤外線を出射し、反射された赤外線を分析して皮膚の高さを測定することを特徴とする請求項１に記載の皮膚のつっぱり評価装置。
【請求項１０】
吸引器を用いて所定の圧力で所定の時間にわたり皮膚を吸引する段階と、
吸引により変化する皮膚の高さを測定する段階と、
測定された高さに基づいて皮膚のつっぱり程度を評価する段階と、
を含む皮膚のつっぱり評価方法。
【請求項１１】
前記皮膚を吸引する段階は、所定の圧力で所定の時間にわたり１回実施されることを特徴とする請求項１０に記載の皮膚のつっぱり評価方法。
【請求項１２】
前記所定の圧力は、５０ｍｍｂａｒ〜３５０ｍｍｂａｒであることを特徴とする請求項１０に記載の皮膚のつっぱり評価方法。
【請求項１３】
前記所定の時間は、０．５秒〜１．５秒であることを特徴とする請求項１０に記載の皮膚のつっぱり評価方法。
【請求項１４】
前記皮膚を吸引する段階は、ユーザが洗顔してから１０分以内の時間の経過後に行われることを特徴とする請求項１０に記載の皮膚のつっぱり評価方法。
【請求項１５】
前記皮膚のつっぱり程度を評価する段階は、測定された高さのうち最高の高さに基づいて皮膚のつっぱり程度を評価し、前記最高の高さが高いほどつっぱりの程度が低いと評価することを特徴とする請求項１０に記載の皮膚のつっぱり評価方法。
【請求項１６】
請求項１０〜１５のいずれか一項に記載の評価方法を行うための命令を含み、コンピュータ読取可能な格納媒体に格納されたプログラム。
【発明の詳細な説明】
【技術分野】
【０００１】
本発明は、皮膚のつっぱり評価装置及びその方法に係る。より具体的に、本発明は、皮膚を所定時間、所定圧力で吸引し上昇した皮膚の高さに基づいて皮膚のつっぱり程度を評価する装置及び方法に関する。
【背景技術】
【０００２】
従来より、皮膚の様々な性質を評価する基準及び方法が提示されている。例えば、皮膚の弾力性は、皮膚の吸引器（例えば、Ｃｏｕｒａｇｅ  Ｋｈａｚａｋａ  ｅｌｅｃｔｒｏｎｉｃ  ＧｍｂＨ社製のＣｕｔｏｍｅｔｅｒ  ＭＰＡ  ５８０）を用いて皮膚を周期的に数回吸引し、その結果に基づき、皮膚のトータル弾力、純粋弾力、生物学的弾力などに区分して測定される。このような皮膚弾力性は、皮膚が外力を受けたときに元の位置に戻る復元力に係るものであって、皮膚のつっぱり（ｔｉｇｈｔｅｎｉｎｇまたはｔｅｎｓｉｏｎ）とは全く相違するものである。
【０００３】
従来、皮膚弾力性のほかにも、皮膚水分含量および肌のきめの測定装置などが存在するが、皮膚のつっぱりを測定し評価する装置は存在しない。
【先行技術文献】
【特許文献】
【０００４】
【特許文献１】米国公開特許第２０１４−０２７６２３２号公報
【発明の概要】
【発明が解決しようとする課題】
【０００５】
前記したような問題点を解決するために、皮膚のつっぱりを定義し、皮膚のつっぱりの程度を測定し評価することができる装置及び方法が求められる。
【課題を解決するための手段】
【０００６】
本発明の一実施例に係る皮膚のつっぱり評価装置は、所定の圧力で所定の時間にわたり皮膚を吸引する吸引器と、吸引によって変化する皮膚の高さを測定する高さ測定部、及び測定された高さに基づいて皮膚のつっぱり程度を評価する皮膚のつっぱり評価部と、を含む。
【０００７】
好ましい一実施例において、前記吸引器は、皮膚を１回吸引してよい。
【０００８】
好ましい一実施例において、前記所定の圧力は、５０ｍｍｂａｒ〜３５０ｍｍｂａｒであってよい。
【０００９】
好ましい一実施例において、前記所定の時間は、０．５秒〜１．５秒であってよい。
【００１０】
好ましい一実施例において、前記吸引器による皮膚の吸引は、ユーザが洗顔してから１０分以内の時間の経過後に行われてよい。
【００１１】
好ましい一実施例において、前記皮膚のつっぱり評価部は、測定された高さのうち最高の高さに基づいて皮膚のつっぱり程度を評価してよい。
【００１２】
好ましい一実施例において、前記皮膚のつっぱり評価部は、前記最高の高さが高いほどつっぱりの程度が低いと評価してよい。
【００１３】
好ましい一実施例において、前記吸引器は、円筒状のボディ及び前記ボディ内の空気を吸引するファンを含んでいてよい。
【００１４】
好ましい一実施例において、前記高さ測定部は、皮膚に赤外線を出射し、反射された赤外線を分析して皮膚の高さを測定してよい。
【００１５】
本発明の一実施例に係る皮膚のつっぱり評価方法は、吸引器を用いて所定の圧力で所定の時間にわたり皮膚を吸引する段階と、吸引によって変化する皮膚の高さを測定する段階、及び測定された高さに基づいて皮膚のつっぱり程度を評価する段階と、を含む。
【００１６】
好ましい一実施例において、前記皮膚を吸引する段階は、所定の圧力で所定の時間にわたり１回実施されてよい。
【００１７】
好ましい一実施例において、前記所定の圧力は、５０ｍｍｂａｒ〜３５０ｍｍｂａｒであってよい。
【００１８】
好ましい一実施例において、前記所定の時間は、０．５秒〜１．５秒であってよい。
【００１９】
好ましい一実施例において、前記皮膚を吸引する段階は、ユーザが洗顔してから３分〜１０分の経過後に行われてよい。
【００２０】
好ましい一実施例において、前記皮膚のつっぱり程度を評価する段階は、測定された高さのうち最高の高さに基づいて皮膚のつっぱり程度を評価し、前記最高の高さが高いほどつっぱりの程度が低いと評価してよい。
【００２１】
本発明の一実施例に係るコンピュータ読取可能な格納媒体に格納されたプログラムは、上述した皮膚のつっぱり評価方法を行うための命令を含んでいてよい。
【発明の効果】
【００２２】
本発明の一実施例によれば、皮膚のつっぱりの程度を数値化することができる。その結果、皮膚のつっぱりを低減させるための製品の性能を数値にて判断することができるというメリットがある。
【００２３】
また、本発明の一実施例によれば、既存の吸引及び皮膚高さ装備を用いて、ユーザの皮膚のつっぱりを測定することができる。例えば、Ｃｏｕｒａｇｅ  Ｋｈａｚａｋａ  ｅｌｅｃｔｒｏｎｉｃ  ＧｍｂＨ社製のＣｕｔｏｍｅｔｅｒ  ＭＰＡ  ５８０のような装備を活用することができる。
【００２４】
さらに、本発明の一実施例によれば、所定圧力を加える吸引器及び高さ測定センサを用いて皮膚のつっぱりを測定することができるため、装備の小型化をはかることができるというメリットがある。
【図面の簡単な説明】
【００２５】
【図１】皮膚のつっぱりを説明するための皮膚の概念図である。
【図２】本発明の一実施例に係る皮膚のつっぱり評価装置の構成図である。
【図３】本発明の一実施例に係る吸引器１１０及び高さ測定部１２０を簡略に示す図である。
【図４】吸引によって変化する皮膚の高さを高さ測定部によって測定した結果を示すグラフである。
【図５】本発明の一実施例に係る皮膚のつっぱり評価方法の流れ図である。
【発明を実施するための形態】
【００２６】
本明細書において用いられた用語は、単に特定の実施例を説明するために用いられたものであって、本発明を限定しようする意図ではない。単数形の表現は、文脈上、明らかに別異に解されない限り、複数形の表現をも含む。本明細書において、「含む」または「有する」などの用語は、説示された特徴、数字、段階、動作、構成要素、部分品、またはこれらの組み合わせが存在することを示すために用いたものであって、一つまたはそれ以上の他の特徴や数字、段階、動作、構成要素、部分品、またはこれらの組み合わせたなどの存在または付加可能性をあらかじめ排除するものではないと理解されるべきである。
【００２７】
技術的や科学的な用語を含めて、ここで用いられるすべての用語は、特に定義されていない限り、本発明の属する技術分野における通常の知識を有する者にとって一般的に理解される意味と同じ意味を持つ。一般的に用いられる辞典に定義されている用語と同じ用語は、関連技術の文脈上持つ意味と一致する意味のものであると解釈されるべきであり、且つ本明細書において明らかに定義されていない限り、理想的または過度に形式的な意味に解釈されるものではない。図面で提示された同じ図面符号は同じ部材を示す。なお、実施形態を説明するにあたって、関連公知機能あるいは構成についての具体的な説明が本発明の要旨を不必要に曖昧にし得ると判断される場合、それについての詳細な説明は省略する。また、図中の各構成要素の大きさは説明のために誇張されていることがあり、実際に適用される大きさを意味するものではない。
【００２８】
本明細書に記述された実施例は、全面的にハードウェアであるか、部分的にハードウェアで部分的にソフトウェアであるか、または全面的にソフトウェアである側面を有し得る。本明細書において「部（ｕｎｉｔ）」、「モジュール（ｍｏｄｕｌｅ）」、「装置」または「システム」などは、ハードウェア、ハードウェアとソフトウェアとの組み合わせ、またはソフトウェアなどのコンピュータ関連エンティティー（ｅｎｔｉｔｙ）を指す。例えば、本明細書において部、モジュール、装置またはシステムなどは、実行中のプロセス、プロセッサ、客体（ｏｂｊｅｃｔ）、実行ファイル（ｅｘｅｃｕｔａｂｌｅ）、実行スレッド（ｔｈｒｅａｄ  ｏｆ  ｅｘｅｃｕｔｉｏｎ）、プログラム（ｐｒｏｇｒａｍ）、及び／またはコンピュータ（ｃｏｍｐｕｔｅｒ）であってよいが、これらに制限されるものではない。例えば、コンピュータで実行中のアプリケーション（ａｐｐｌｉｃａｔｉｏｎ）及びコンピュータの両方とも、本明細書の部、モジュール、装置またはシステムなどに該当し得る。
【００２９】
実施例を図面に示された流れ図を参考して説明した。説明を簡略化するために、前記方法を一連のブロックにて図示して説明したが、本発明は当該ブロックの順序に限定されず、幾つかのブロックは、他のブロックと本明細書において図示され記述された順序とは異なる順序または同時に実行されることもあり、同じまたは同様な結果を果たす多様な他の分岐、流れ経路、及びブロックの順序が具現され得る。また、本明細書において記述される方法の具現のために図示されたすべてのブロックが要求されないこともある。さらには、本発明の一実施例に係る方法は、一連の過程を行うためのコンピュータプログラムの形態にて具現されることもあり、当該コンピュータプログラムはコンピュータ読取可能な記録媒体に記録されていてよい。
【００３０】
本発明では、皮膚のつっぱりを定義しつっぱりの程度を定量的に評価することができる。図１は、皮膚のつっぱりを説明するための皮膚の概念図である。図１を参考すると、洗顔後、皮膚角質層は急速に脱水される。このような脱水によって皮膚角質層の水分量は洗顔前よりも低くなる。水分量の減少によって、皮膚の角質層では微細なクラックＣが生じ、張力ＦによってクラックＣを中心に皮膚がつっぱられながら、ユーザは皮膚のつっぱりを感じるようになる。一方、水分の減少で皮膚の強度は高くなる。このような現象及びユーザの感じを皮膚つっぱり感とする。
【００３１】
本発明では、皮膚を吸引し、吸引によって上昇する皮膚の高さに基づいて皮膚のつっぱり程度を評価する。本発明の実施例では、実験とアンケートによって獲得した資料に基づいて吸引強度、時間、回数を後述のように決めたが、本発明がそれらに制限されるものではない。
【００３２】
以下、図面を参照して本発明の実施例について詳しく説明する。
【００３３】
図２は、本発明の一実施例に係る皮膚のつっぱり評価装置の構成図であり、図３は、本発明の一実施例に係る吸引器１１０及び高さ測定部１２０を簡略に示す図である。
【００３４】
図２を参考すると、皮膚のつっぱり評価装置１００は、吸引器１１０と、高さ測定部１２０、及び皮膚のつっぱり評価部１３０と、を含む。
【００３５】
吸引器１１０は、所定の圧力で所定の時間にわたり皮膚を吸引する。吸引器１１０は、円筒状のボディ及びボディ内の空気を吸引することができるファンを含んでいてよい。なお、このような吸引器の構成は例示的なものであり、本発明において用いられる吸引器は、所定の圧力と時間にわたり皮膚を引っ張り得る任意の装置を含むものであってよい。
【００３６】
一実施例において吸引器１１０は、皮膚を１回以上吸引してよい。なお、つっぱり評価のための皮膚の吸引は１回が好ましい。一般に、皮膚の弾力を評価するために皮膚の吸引を周期的に繰り返し行い、繰り返し行って得た結果を用いる。しかし、１回を超えて皮膚を吸引すると、皮膚の特性によってタイアリング効果（ｔｉｒｉｎｇ  ｅｆｆｅｃｔ）が生じることがあり、つっぱりの要素である皮膚クラックが損傷されて皮膚のつっぱりを正確に測定し難い。したがって、吸引器による皮膚の吸引は１回が好ましい。
【００３７】
また、一実施例によれば、吸引器が皮膚を吸引する圧力（すなわち、円筒状ボディ内の圧力）は５０ｍｍｂａｒ〜３５０ｍｍｂａｒが好ましく、且つ、吸引器が皮膚を吸引する時間は０．５秒〜１．５秒が好ましい。当該圧力及び時間は実験によって決められた範囲であって、当該範囲で皮膚を吸引し、皮膚の高さ変化を測定したとき、ユーザの感じと最も符合する皮膚のつっぱり評価情報を獲得することができる。
【００３８】
さらに、一実施例において、吸引器１１０による皮膚の吸引は、ユーザが洗顔してから３分〜１０分の経過後に行われてよいが、これに本発明が制限されるものではない。
【００３９】
高さ測定部１２０は、吸引によって変化する皮膚の高さを測定することができる。図３を参考すると、吸引器１１０によって皮膚が高さｈだけ上昇したことが示されている。高さ測定部１２０は、吸引の前と吸引の開始から吸引の終了後までの皮膚の高さ変化を測定することができる。吸引の開始から終了までは、前述したように０．５〜１．５秒が好ましい。
【００４０】
図４は、吸引によって変化する皮膚の高さを高さ測定部によって測定した結果を示すグラフである。図４を参考すると、皮膚の高さは、吸引の開始後に急峻に上昇し、以降、漸進的に上昇しながら最高点ｈ１に至る。
【００４１】
図３に示されたように、高さ測定部１２０は、吸引器１１０の内部に配置されてよいが、これに本発明が制限されるものではない。また、高さ測定部１２０は、皮膚の高さ変化を測定するために赤外線を用いてよいが、これに本発明が制限されるものではない。
【００４２】
皮膚のつっぱり評価部１３０は、測定された高さに基づいて皮膚のつっぱり程度を評価する。皮膚のつっぱり評価部１３０は、測定された高さのうち最高の高さ（図３ではｈ１）に基づいて皮膚のつっぱり程度を評価する。また、皮膚のつっぱり評価部１３０は、上昇した皮膚の最高の高さが高いほど、つっぱりの程度が低いと評価することができる。
【００４３】
例えば、ユーザが洗顔剤Ａを使った後に測定した皮膚の高さの最高値が１で、洗顔剤Ｂを使った後に測定した皮膚の高さの最高値が１．１である場合、皮膚のつっぱり評価部１３０は、洗顔剤Ａを使った後のほうが皮膚つっぱりの程度が高い（ひどい）と評価することができる。
【００４４】
皮膚のつっぱり評価部１３０は、吸引によって上昇する皮膚の高さの最高値の範囲に応じてつっぱりの程度を区分することもできる。例えば、吸引によって上昇する皮膚の高さの最高値が１〜１．１である場合につっぱりの程度を１０とし、皮膚の高さの最高値が１．１〜１．２である場合につっぱりの程度を９としてよい。ここで言及した数値は例示的なものに過ぎない。
【００４５】
図５を参考すると、皮膚のつっぱり評価方法は、吸引器を用いて所定の圧力で所定の時間にわたり皮膚を吸引する段階Ｓ１００と、吸引によって変化する皮膚の高さを測定する段階Ｓ２００、及び測定された高さに基づいて皮膚のつっぱり程度を評価する段階Ｓ３００と、を含む。
【００４６】
皮膚を吸引する段階Ｓ１００は、所定の圧力で所定の時間にわたり１回実施されてよい。ここで、前記所定の圧力は５０ｍｍｂａｒ〜３５０ｍｍｂａｒであり、所定の時間は０．５秒〜１．５秒であってよいが、これに本発明が制限されるものではない。また、皮膚を吸引する段階Ｓ１００は、ユーザが洗顔してから１０分以内の時間の経過に行われてよい。好ましくは、３分〜１０分以内の時間の経過後に吸引段階Ｓ１００が実行されてよいが、これに本発明が制限されるものではない。
【００４７】
皮膚のつっぱり程度を評価する段階Ｓ３００は、測定された高さのうち最高の高さに基づいて皮膚のつっぱり程度を評価するが、前記最高の高さが高いほどつっぱりの程度が低いと評価する段階を含んでいてよい。
【００４８】
本発明の一実施例に係るプログラムは、上述した皮膚のつっぱり評価方法を行うための命令を含み、コンピュータ読取可能な格納媒体に格納されていてよい。
【００４９】
本発明の一実施例に係るコンピュータ読取可能な格納媒体は、上述した皮膚のつっぱり評価方法を行うための命令を格納していてよい。
【００５０】
以上、本発明について図面に示された実施例を参考にして説明したが、これは例示的なものに過ぎず、当該分野における通常の知識を有する者であれば、これより種々の変形及び実施例の変形が可能であるという点が理解できるであろう。なお、このような変形は本発明の技術的保護範囲内にあると見なすべきである。したがって、本発明の真正な技術的保護範囲は添付の特許請求の範囲の技術的思想によって決められるべきである。
【産業上の利用可能性】
【００５１】
本発明の一実施例によれば、皮膚のつっぱりの程度を数値化することができる。その結果、皮膚のつっぱりを低減させるための製品の性能を数値にて判断することができるというメリットがある。また、本発明の一実施例によれば、既存の吸引及び皮膚高さ装備を用いて、ユーザの皮膚のつっぱりを測定することができる。例えば、Ｃｏｕｒａｇｅ  Ｋｈａｚａｋａ  ｅｌｅｃｔｒｏｎｉｃ  ＧｍｂＨ社製のＣｕｔｏｍｅｔｅｒ  ＭＰＡ  ５８０のような装備を活用することができる。さらに本発明の一実施例によれば、所定の圧力を加える吸引器及び高さ測定センサを用いて皮膚のつっぱりを測定することができるため、装備の小型化をはかることができるというメリットがある。
【図１】
2019510555.tif 000003
【図２】
2019510555.tif 000004
【図３】
2019510555.tif 000005
【図４】
2019510555.tif 000006
【図５】
2019510555.tif 000007
【国際調査報告】
2019510555.tif 000008
2019510555.tif 000009
2019510555.tif 000010
2019510555.tif 000011